(57)【要約】      （修正有）【課題】複数段に積み重ねられても物品の収容及び取り出しを容易に行うことができる収容箱を提供する。【解決手段】直方体形状に組み立てられた収容箱においてミシン目により第２天井板を破断して第２の側壁板３ｂを外方に開くことで、収容箱をその側面で開口させることができる。さらに、収容箱の側面の開口に挿入片７を挿入することで、挿入片７に対応する第２の側壁板３ｂにより収容箱の側面の開口を閉塞することができる。そこで、複数の収容箱を予めそれぞれミシン目で第２天井板を破断した状態で上下方向に互いに積み重ねて配置すれば、それぞれの収容箱をその側面で開閉して収容空間Ａに対する物品Ｐの取り出し及び収容を行うことができる。【選択図】図４
0003134456.tif 000002
【実用新案登録請求の範囲】
【請求項１】
矩形の底板と、
前記底板の周縁部から四方に向かって互いに独立して延長すると共にそれぞれ前記底板に対して垂直に折り曲げられることにより天井部が開放された直方体状の収容空間を形成する４つの側壁板と、
前記４つの側壁板のうち互いに対向する一対の側壁板の前記底板とは反対側の端部からそれぞれ延長する共に対応する前記側壁板に対し垂直に折り曲げられることにより前記収容空間の天井部に配置される一対の第１天井板と、
前記４つの側壁板のうち残りの一対の側壁板の前記底板とは反対側の端部からそれぞれ延長すると共に対応する前記側壁板に対し垂直に折り曲げられることにより前記一対の第１天井板の上に重ねられて前記収容空間の天井部を閉塞する一対の第２天井板と
を備え、前記一対の第２天井板のうち一方にはその延長方向の中間部にミシン目が形成されてこのミシン目により破断されることで２つの部分に分割可能であり、前記ミシン目により前記一方の第２天井板を破断して２つの部分に分割すると共にこの第２天井板に対応する前記側壁板を前記底板に対して回動させて外方に開くことで前記収容空間がその側部で開放され、さらに前記ミシン目よりも前記側壁板側に位置する前記一方の第２天井板の部分を挿入片として前記一対の第１天井板の下側から前記収容空間内に挿入することで前記収容空間が再び閉塞されることを特徴とする収容箱。
【請求項２】
前記一対の第１天井板のうち少なくとも一方には、これら一対の第１天井板の下側から前記収容空間内に挿入された前記挿入片を外方に取り出すための切り欠きが形成されている請求項１に記載の収容箱。
【請求項３】
前記一方の第２の天井板が前記ミシン目により破断されない状態で、前記一対の第２天井板及び前記一対の第１天井板をそれぞれ対応する前記側壁板に対して回動させて外方に開くことで前記収容空間がその天井部で開放される請求項１または２に記載の収容箱。
【考案の詳細な説明】
【技術分野】
【０００１】
この考案は、収容箱に係り、特に段ボール等からなる収容箱に関する。
【背景技術】
【０００２】
従来より、段ボール等からなる収容箱は、その内部に物品が収容されることで物品の搬送及び保管等に使用されている。このような収容箱では、一般に、その上部が開放されることにより内部に物品を収容する、あるいは内部から物品を取り出すことができる。
【考案の開示】
【考案が解決しようとする課題】
【０００３】
しかしながら、上述のように、その上部が開放されて物品の収容及び取り出しが行われる収容箱が複数段に積み重ねられていると、下段の収容箱に収容されている物品を取り出そうとする時には、その収容箱の上に積み重ねられている全ての収容箱を降ろす必要があり、そのため多大な手間及び時間がかかるという問題があった。
この考案はこのような問題点を解消するためになされたもので、複数段に積み重ねられても物品の収容及び取り出しを容易に行うことができる収容箱を提供することを目的とする。
【課題を解決するための手段】
【０００４】
この考案に係る収容箱は、矩形の底板と、底板の周縁部から四方に向かって互いに独立して延長すると共にそれぞれ底板に対して垂直に折り曲げられることにより天井部が開放された直方体状の収容空間を形成する４つの側壁板と、４つの側壁板のうち互いに対向する一対の側壁板の底板とは反対側の端部からそれぞれ延長する共に対応する側壁板に対し垂直に折り曲げられることにより収容空間の天井部に配置される一対の第１天井板と、４つの側壁板のうち残りの一対の側壁板の底板とは反対側の端部からそれぞれ延長すると共に対応する側壁板に対し垂直に折り曲げられることにより一対の第１天井板の上に重ねられて収容空間の天井部を閉塞する一対の第２天井板とを備え、一対の第２天井板のうち一方にはその延長方向の中間部にミシン目が形成されてこのミシン目により破断されることで２つの部分に分割可能であり、ミシン目により一方の第２天井板を破断して２つの部分に分割すると共にこの第２天井板に対応する側壁板を底板に対して回動させて外方に開くことで収容空間がその側部で開放され、さらにミシン目よりも側壁板側に位置する一方の第２天井板の部分を挿入片として一対の第１天井板の下側から収容空間内に挿入することで収容空間が再び閉塞されるものである。
【０００５】
一対の第１天井板のうち少なくとも一方に、これら一対の第１天井板の下側から収容空間内に挿入された挿入片を外方に取り出すための切り欠きが形成されていることが好ましい。
また、一方の第２の天井板をミシン目で破断しない状態で、一対の第２天井板及び一対の第１天井板をそれぞれ対応する側壁板に対して回動させて外方に開くことにより収容空間をその天井部で開放することもできる。
【考案の効果】
【０００６】
この考案によれば、収容箱をその側面で開放することができるため、収容箱を複数段に積み重ねても収容箱に対する物品の収容及び取り出しを容易に行うことが可能である。
【考案を実施するための最良の形態】
【０００７】
以下、この考案の実施の形態を添付図面に基づいて説明する。
図１に、この考案の実施の形態に係る収容箱の展開図を示す。この収容箱は、段ボール紙等から形成されるものであり、長方形状の底板１を有している。この底板１の周縁部に位置する４つの辺のうち、互いに対向する一対の長辺からそれぞれその側方に向かって一対の第１の側壁板２が延長すると共に、互いに対向する一対の短辺からそれぞれその側方に向かって一対の第２の側壁板３ａ及び３ｂが延長している。それぞれの第１の側壁板２には、その延長方向の先端部に第１天井板４が連続形成されている。また、一対の第２の側壁板３ａ及び３ｂのうち一方の第２の側壁板３ａの延長方向の先端部には第２天井板５が連続形成されると共に、他方の第２の側壁板３ｂの延長方向の先端部には、点線で示される１本のミシン目６を介して挿入片７と残留片８とに破断可能な第２天井板９が連続形成されている。
【０００８】
ミシン目６は、第２天井板９の延長方向の中間部、すなわち第２の側壁板３ｂに連続する第２天井板９の一端部とその反対側の他端部との間に位置すると共に、第２天井板９の延長方向に対し垂直な幅方向全体にわたって延在している。このミシン目６よりも第２の側壁板３ｂの近傍に位置する第２天井板９の部分が挿入片７として用いられ、ミシン目６よりも第２の側壁板３ｂから離れて位置する第２天井板９の部分が残留片８として用いられる。また、第２天井板９には、ミシン目６の延在方向の両端部にそれぞれ切り欠き１０が形成されており、各切り欠き１０を始点にして第２天井板９をミシン目６に沿って破断し易いように構成されている。
【０００９】
なお、各第１の側壁板２には、底板１からの延長方向に対して垂直な幅方向の両端部にそれぞれ連結片１１及び折り込み片１２が連続形成されている。ここで、連結片１１は、第１の側壁板２の第２天井板５側に位置する端部に連続形成されると共に、折り込み片１２は、第１の側壁板２の第２天井板９側に位置する端部に連続形成されている。それぞれの連結片１１には切り欠き１３が形成されている。また、各第１天井板４の第２天井板９側に位置する角部に、切り欠き１４が形成されている。
また、底板１と第１の側壁板２及び第２の側壁板３ａ及び３ｂとの境界部分、第１の側壁板２と第１天井板４、連結片１１及び折り込み片１２との境界部分、及び、第２の側壁板３ａと第２天井板５との境界部分、及び、第２の側壁板３ｂと第２天井板９との境界部分には、それぞれ二点鎖線で示されるような折り目が形成されている。
【００１０】
以上のような構成を有する収容箱の組み立て時には、まず、一対の第１の側壁板２をそれぞれ折り目を介して底板１に対し折り曲げると共に、一対の連結片１１をそれぞれ折り目を介して対応する第１の側壁板２に対し折り曲げ、一対の連結片１１の切り欠き１３を互いに係止させて連結することにより、図２に示されるように、一対の第１の側壁板２をそれぞれ底板１に対して垂直に立設した状態に保持することができる。また、このとき、底板１の上に複数枚の紙等からなる物品Ｐを配置し、一対の折り込み片１２をそれぞれ折り目を介して対応する第１の側壁板２に対し折り曲げることで、その天井部が開放されたほぼ直方体形状を有し且つ物品Ｐを収容するための収容空間Ａが形成される。
【００１１】
次に、一対の第１天井板４をそれぞれ折り目を介して対応する第１の側壁板２に対し折り曲げて、これらの第１天井板４の延長方向の先端部を互いに合わせることにより、収容空間Ａの天井部に配置して物品Ｐの上方を覆う。さらに、一対の第２の側壁板３ａ及び３ｂをそれぞれ折り目を介して底板１に対し折り曲げた後に、一対の第２天井板５及び９をそれぞれ折り目を介して対応する第２の側壁板３ａ及び３ｂに対し折り曲げて第２天井板５及び９を一対の第１天井板４の上に重ねると共に、第２天井板５及び９の互いの先端部を合わせることで収容空間Ａを閉塞する。その状態で、図３に示されるように、クラフトテープ等からなる固定手段１５を介して、一対の第２天井板５及び９を互いに固定すると共に第１の側壁板２に対して固定することにより、直方体形状の収容箱が形成される。
このように、収容箱により物品Ｐを梱包することができる。
【００１２】
次に、この考案の実施の形態に係る収容箱の作用について説明する。図３に示す直方体形状に組み立てられた収容箱において、指または棒状の部材等を用いてミシン目６により第２天井板９を破断して挿入片７と残留片８とに分割し、挿入片７に対応する第２の側壁板３ｂを底板１に対して回動させて外方に開くことで、図４に示されるように、収容箱をその側面で開口させることができる。すなわち、収容空間Ａがその側部で開放されることとなる。
ここで、図５に示されるように一対の折り込み片１２を外方に開くことにより、収容空間Ａに対する物品Ｐの取り出し及び収容を行うことができる。なお、残留片８は一対の第１天井板４の上に残留したままとなる。
【００１３】
さらに、再び図４に示されるように、一対の折り込み片１２を再び内方に折り曲げ、このとき、収容箱の側面の開口の縁部を構成する一対の第１天井板４の端部と一対の折り込み片１２の上端部との間に形成される隙間に挿入片７を挿入すると、図６に示されるように、一対の第１天井板４の端部に挿入片７が係合し、これにより、挿入片７に対応する第２の側壁板３ｂにより収容空間Ａを再び閉塞することができる。このとき、挿入片７の挿入端の両側に切り欠き１０が設けられているため、一対の第１天井板４の端部と一対の折り込み片１２の上端部との間に形成される隙間に挿入片７を容易に挿入することができる。
【００１４】
なお、挿入片７が係合される一対の第１天井板４の端部には、その中央部に切り欠き１４が形成され、一対の第１天井板４の端部と一対の折り込み片１２の上端部との間に形成される隙間に挿入された挿入片７を切り欠き１４を介して容易に外方に取り出して再び収容箱をその側面で開口させることができる。
【００１５】
そこで、図７に示されるように、複数の収容箱をそれぞれ予めミシン目６で第２天井板９を破断した状態で上下方向に互いに積み重ねて配置することにより、それぞれの収容箱をその側面で開閉して収容空間Ａに対する物品Ｐの取り出し及び収容を行うことができる。したがって、複数の収容箱のうち下段に位置する所望の収容箱から物品Ｐを取り出そうとする時などに、上段に積み重ねられている収容箱を降ろすことなく、所望の収容箱をその側面で開口させて収容空間Ａに対する物品Ｐの取り出しを行うことができる。このように、収容箱を複数段に積み重ねても、それぞれの収容箱に対する物品Ｐの収容及び取り出しを容易に行うことができる。
特に、複数の収容箱を積み重ねて保管すると共に各収容箱の内部に収容されている物品Ｐを複数回に分けて取り出して使用する場合などに有用である。
【００１６】
また、固定手段１５を取り除くことなく、一本のミシン目６で第２天井板９を破断することにより収容箱をその側面で開口させることができるため、取り除かれた固定手段１５がゴミになったり、ミシン目６で破断する際にゴミを生じたりすることを防止することができる。
また、収容箱をその側面で開口させるためにはミシン目６により第２天井板９を破断する必要があるため、この収容箱が側面で開口されたか否かを一目で確認することができ、これにより、収容箱に収容されている物品Ｐのセキュリティを確保することができる。
さらに、この収容箱は、組み箱であるため、紙箱等の壁板同士の固定などに使用することができる製函糊及び固定金具等を省略することが可能である。
【００１７】
また、図３に示す直方体形状に組み立てられた収容箱において、上述のようにミシン目６により破断せずに、固定手段１５を取り除き、一対の第２天井板５及び９をそれぞれ対応する第２の側壁板３ａ及び３ｂに対し回動させて外方に開くと共に一対の第１天井板４をそれぞれ対応する第１の側壁板２に対し回動させて外方に開くことにより、収容箱をその天井面で開口させることもできる。
このように、収容箱をその天井面で開口させれば、この天井面の大きい開口を介して収容空間Ａに対する物品Ｐの収容及び取り出しを行うことができるため、収容空間Ａに収容されている全ての物品Ｐを一度に取り出したり、収容空間Ａに物品Ｐを収容したりする際に、それらの作業を容易に行うことができる。
【００１８】
なお、上述の実施の形態において、収容箱の表面に、ミシン目６に沿って第２天井板９を破断して収容箱を側面で開口させる様子と、その後に挿入片７を収容箱の側面の開口に挿入して閉塞する様子等を図示しておけば、作業者がこの図を見て容易に収容箱の使用法を理解することができる。
【００１９】
また、上述の実施の形態のように複数の収容箱が上下方向に積み重ねられる場合だけでなく、図８に示されるように、複数の収容箱をそれぞれ一方の第１の側壁板２を底面として配置すると共にこれら複数の収容箱の互いの底板１と第２天井板５及び９とが近接して配置される場合にも、収容箱をその側面で開口させることにより、各収容箱の収容空間Ａに対する物品Ｐの収容及び取り出しを容易に行うことができる。
【００２０】
なお、上述の実施の形態では、一対の第１天井板４の双方にそれぞれ切り欠き１４が形成され、一対の第１天井板４の先端部を互いに合わせた時にそれらの切り欠き１４により１つのほぼ半円形状の切り欠きが形成されるように構成されていたが、その代わりに、一方の第１天井板４のみに、指を挿入して挿入片７を外方に取り出すことが可能な大きさ及び形状を有する１つの切り欠きを形成してもよい。
【００２１】
固定手段１５としては、上述のクラフトテープを用いることが好ましいが、その代わりに、製函糊及び固定金具等を用いてもよい。
また、上述のように一本のミシン目６により第２天井板９を破断すればゴミが出ないため好ましいが、その代わりに、互いに平行な２本のミシン目を第２天井板９に形成してこれら２本のミシン目に沿って第２天井板９を破断するように構成してもよい。この場合に、これら２本のミシン目の間に位置する部分を引っ張って破り取ることで第２天井板９を容易に破断することができる。
【００２２】
また、上述の実施の形態では、底板１の短辺に対応する第２の側壁板３ｂが外方に開かれることにより収容箱がその側面で開口されたが、底板１の長辺に対応する第１の側壁板２が外方に開かれることにより収容箱がその側面で開口されるように構成してもよい。
さらに、上述のように、長辺と短辺を含む長方形状の底板１を有する収容箱に限らず、この考案は、正方形状の底板を有する収容箱にも適用することができる。
また、この考案の直方体形状の収容箱は、立方体形状（正六面体形状）を有する収容箱も含んでいるものとする
【００２３】
この収容箱は、段ボール紙の代わりに、厚紙またはその他各種の材質から形成することができる。
また、収容箱の収容空間Ａに収容される物品Ｐとしては、複数枚の紙だけでなく、その他各種の物を収容することができる。
【図面の簡単な説明】
【００２４】
【図１】この考案の実施の形態に係る収容箱が展開された状態を示す平面図である。
【図２】図１の収容箱における第１の側壁板を底板に対して折り曲げた状態を示す平面図である。
【図３】直方体形状に組み立てられた、この考案の実施の形態に係る収容箱を示す斜視図である。
【図４】図３の収容箱における第２天井板がミシン目で破断された様子を示す斜視図である。
【図５】図４の収容箱における一対の折り込み片が外方に開かれた様子を示す斜視図である。
【図６】図５の収容箱の側面に形成された開口に挿入片が挿入されて閉塞された様子を示す斜視図である。
【図７】この考案の実施の形態に係る収容箱を上下方向に複数段に積み重ねた様子を示す斜視図である。
【図８】この考案の実施の形態に係る収容箱を横方向に互いに隣接して配置した様子を示す斜視図である。
【符号の説明】
【００２５】
１  底板、２  第１の側壁板、３ａ，３ｂ  第２の側壁板、４  第１天井板、５，９  第２天井板、６  ミシン目、７  挿入片、８  残留片、１０，１３，１４  切り欠き、１１  連結片、１２  折り込み片、１５  固定手段、Ａ  収容空間、Ｐ  物品。
【図１】
0003134456.tif 000003
【図２】
0003134456.tif 000004
【図３】
0003134456.tif 000005
【図４】
0003134456.tif 000006
【図５】
0003134456.tif 000007
【図６】
0003134456.tif 000008
【図７】
0003134456.tif 000009
【図８】
0003134456.tif 000010